(57)【要約】【課題】第１収納部及び第２収納部に収納された硬貨を回収する際の処理時間が長くなることを抑制することが可能な硬貨処理装置を提供する。【解決手段】金種別に硬貨を分けて収納する第１収納部と、異なる金種の硬貨を混在させて収納する第２収納部と、入金処理の際に、前記第１収納部に収納された硬貨が前記第１収納部の最大収納枚数よりも少ない所定枚数に達していない場合には、前記第１収納部に硬貨を搬送させ、前記第１収納部に収納された硬貨が前記所定枚数に達した場合には、前記第２収納部に硬貨を搬送させる制御部と、を備える、硬貨処理装置。【選択図】図７
2014075019.tif 000002
【特許請求の範囲】
【請求項１】
金種別に硬貨を分けて収納する第１収納部と、
異なる金種の硬貨を混在させて収納する第２収納部と、
入金処理の際に、前記第１収納部に収納された硬貨が前記第１収納部の最大収納枚数よりも少ない所定枚数に達していない場合には、前記第１収納部に硬貨を搬送させ、前記第１収納部に収納された硬貨が前記所定枚数に達した場合には、前記第２収納部に硬貨を搬送させる制御部と、
を備える、硬貨処理装置。
【請求項２】
請求項１に記載の硬貨処理装置において、
前記第１収納部と前記第２収納部に収納された硬貨を回収する回収部を備え、
前記制御部は、回収処理の際に、前記第１収納部と第２収納部に収納された硬貨を前記回収部に搬送させる、硬貨処理装置。
【請求項３】
請求項２に記載の硬貨処理装置において、
前記制御部は、前記回収処理の際に、前記第２収納部に収納された硬貨を前記回収部に搬送させた後に、前記第１収納部に収納された硬貨を前記回収部に搬送させる、硬貨処理装置。
【請求項４】
請求項２又は３に記載の硬貨処理装置において、
前記第１収納部に収納された硬貨を前記回収部に搬送する途中で当該硬貨を一時保留し、前記第２収納部に収納された硬貨を前記回収部に搬送する途中で当該硬貨を一時保留する一時保留部を備え、
前記制御部は、
同一の搬送路を往復させて、前記第１収納部に収納された硬貨を前記一時保留部を経由して前記回収部に搬送させ、
同一の搬送路を往復させずに、前記第２収納部に収納された硬貨を前記一時保留部を経由して前記回収部に搬送させる、硬貨処理装置。
【請求項５】
請求項４に記載の硬貨処理装置において、
前記第１収納部と前記第２収納部に収納された硬貨を回収部に搬送する搬送部を備え、
前記搬送部は、
前記第１収納部に収納された硬貨を前記一時保留部に搬送する第１搬送部と、
前記第２収納部に収納された硬貨を前記一時保留部に搬送する第２搬送部と、を備え、
前記第２搬送部が硬貨を搬送する搬送速度が、前記第１搬送部が硬貨を搬送する搬送速度よりも速い、硬貨処理装置。
【請求項６】
請求項５に記載の硬貨処理装置において、
前記搬送部は、前記硬貨を搬送させる搬送路を有し、
前記第１収納部は、前記搬送路において硬貨の金種別に複数配置されている、硬貨処理装置。
【請求項７】
請求項６に記載の硬貨処理装置において、
前記金種別の第１収納部には、前記搬送路における前記一時保留部との間の搬送距離が前記第２収納部と前記一時保留部との間の搬送距離よりも長い第１収納部が、少なくとも一つ以上含まれる、硬貨処理装置。
【請求項８】
請求項６又は７に記載の硬貨処理装置において、
前記第１収納部は、収納した硬貨を、前記搬送路における一方向のみに搬送させるように繰り出す、硬貨処理装置。
【請求項９】
請求項１〜８のいずれか１項に記載の硬貨処理装置において、
前記制御部は、前記所定枚数の閾値を変更して設定可能である、硬貨処理装置。
【請求項１０】
請求項１〜９のいずれか１項に記載の硬貨処理装置において、
前記制御部は、前記入金処理の際に、前記第２収納部に収納された硬貨が前記第２収納部の最大収納枚数に達した場合には、前記所定枚数の硬貨が収納された前記第１収納部に硬貨を搬送させる、硬貨処理装置。
【請求項１１】
請求項１０に記載の硬貨処理装置において、
前記制御部は、前記第１収納部に収納された硬貨が前記第１収納部の前記最大収納枚数に達するまで、前記第１収納部に硬貨を搬送させる、硬貨処理装置。
【発明の詳細な説明】
【技術分野】
【０００１】
本発明は、硬貨処理装置に関し、より詳細には、収納部に収納された硬貨を精査等するために回収処理を行う硬貨処理装置に関する。
【背景技術】
【０００２】
昨今、金融機関のＡＴＭ（Ａｕｔｏｍａｔｅｄ  Ｔｅｌｌｅｒ  Ｍａｃｈｉｎｅ）に代表される自動取引装置は、銀行、コンビニエンスストアなど、多様な場所に設置されている。顧客は、この自動取引装置に表示される表示画面において各種操作を行うことにより、入金、出金等の取引を行うことができる。
【０００３】
上記の自動取引装置は、内部に、硬貨の入金や出金等を処理する硬貨処理装置を有する。この硬貨処理装置は、入金された硬貨を金種別に収納する第１収納部を有する。また、硬貨処理装置は、硬貨を多量収納するために、第１収納部が満杯になった時に、異なる金種の硬貨を纏めて収納する第２収納部を有する（特許文献１参照）。
【０００４】
また、硬貨処理装置においては、第１収納部及び第２収納部に入金処理により収納された硬貨を精査するために、硬貨を回収部に搬送する回収処理が行われる。この際、第１収納部と第２収納部に収納された硬貨は、一時保留部に搬送されて一時的に蓄積された後に、回収部に搬送される。
【先行技術文献】
【特許文献】
【０００５】
【特許文献１】特開２０１１−１７０４１７号公報
【発明の概要】
【発明が解決しようとする課題】
【０００６】
ところで、第１収納部は硬貨を金種別に収納するため、第１収納部から一時保留部に金種別に搬送することになり、異なる金種の硬貨を纏めて収納する第２収納部から一時保留部に硬貨を搬送する場合に比べて、搬送時間が長い。また、上述したように第１収納部が満杯になった時に第２収納部に硬貨が収納されるため、回収処理の際に、満杯になった第１収納部の硬貨を回収部に搬送することになり、処理時間が更に長くなる恐れがある。
【０００７】
そこで、本発明は、上記問題に鑑みてなされたものであり、本発明の目的とするところは、第１収納部及び第２収納部に収納された硬貨を回収する際の処理時間が長くなることを抑制可能な、新規かつ改良された硬貨処理装置を提供することにある。
【課題を解決するための手段】
【０００８】
上記課題を解決するために、本発明のある観点によれば、金種別に硬貨を分けて収納する第１収納部と、異なる金種の硬貨を混在させて収納する第２収納部と、入金処理の際に、前記第１収納部に収納された硬貨が前記第１収納部の最大収納枚数よりも少ない所定枚数に達していない場合には、前記第１収納部に硬貨を搬送させ、前記第１収納部に収納された硬貨が前記所定枚数に達した場合には、前記第２収納部に硬貨を搬送させる制御部と、を備える、硬貨処理装置が提供される。
【０００９】
かかる硬貨処理装置においては、入金処理の際に、第１収納部に収納された硬貨が第１収納部の最大収納枚数よりも少ない所定枚数に達していない場合には、第１収納部に硬貨が搬送され、第１収納部に収納された硬貨が所定枚数に達した場合には、第２収納部に硬貨が搬送される。このため、回収処理を行う際に、第１収納部に硬貨が満杯になることを防止できるので、第１収納部に収納された硬貨が回収部に回収されるまでの時間を短くできる。一方で、第２収納部に収納される硬貨の枚数は増えるが、第１収納部から回収部までの硬貨の搬送時間に比べて、第２収納部から回収部までの硬貨の搬送時間が短いので、第１収納部と第２収納部に収納された硬貨の回収部までのトータルの搬送時間の増加を抑制できる。従って、第１収納部及び第２収納部に収納された硬貨を回収する際の処理時間が長くなることを抑制できる。
【００１０】
また、上記の硬貨処理装置において、前記第１収納部と前記第２収納部に収納された硬貨を回収する回収部を備え、前記制御部は、回収処理の際に、前記第１収納部と第２収納部に収納された硬貨を前記回収部に搬送させることとしても良い。
【００１１】
また、上記の硬貨処理装置において、前記制御部は、前記回収処理の際に、前記第２収納部に収納された硬貨を前記回収部に搬送させた後に、前記第１収納部に収納された硬貨を前記回収部に搬送させることとしても良い。
【００１２】
また、上記の硬貨処理装置において、前記第１収納部に収納された硬貨を前記回収部に搬送する途中で当該硬貨を一時保留し、前記第２収納部に収納された硬貨を前記回収部に搬送する途中で当該硬貨を一時保留する一時保留部を備え、前記制御部は、同一の搬送路を往復させて、前記第１収納部に収納された硬貨を前記一時保留部を経由して前記回収部に搬送させ、同一の搬送路を往復させずに、前記第２収納部に収納された硬貨を前記一時保留部を経由して前記回収部に搬送させることとしても良い。
【００１３】
また、上記の硬貨処理装置において、前記第１収納部と前記第２収納部に収納された硬貨を回収部に搬送する搬送部を備え、前記搬送部は、前記第１収納部に収納された硬貨を前記一時保留部に搬送する第１搬送部と、前記第２収納部に収納された硬貨を前記一時保留部に搬送する第２搬送部と、を備え、前記第２搬送部が硬貨を搬送する搬送速度が、前記第１搬送部が硬貨を搬送する搬送速度よりも速いこととしても良い。
【００１４】
また、上記の硬貨処理装置において、前記搬送部は、前記硬貨を搬送させる搬送路を有し、前記第１収納部は、前記搬送路において硬貨の金種別に複数配置されていることとしても良い。
【００１５】
また、上記の硬貨処理装置において、前記金種別の第１収納部には、前記搬送路における前記一時保留部との間の搬送距離が前記第２収納部と前記一時保留部との間の搬送距離よりも長い第１収納部が、少なくとも一つ以上含まれることとしても良い。
【００１６】
また、上記の硬貨処理装置において、前記第１収納部は、収納した硬貨を、前記搬送路における一方向のみに搬送させるように繰り出すこととしても良い。
【００１７】
また、上記の硬貨処理装置において、前記制御部は、前記所定枚数の閾値を変更して設定可能であることとしても良い。
【００１８】
また、上記の硬貨処理装置において、前記制御部は、前記入金処理の際に、前記第２収納部に収納された硬貨が前記第２収納部の最大収納枚数に達した場合には、前記所定枚数の硬貨が収納された前記第１収納部に硬貨を搬送させることとしても良い。
【００１９】
また、上記の硬貨処理装置において、前記制御部は、前記第１収納部に収納された硬貨が前記第１収納部の前記最大収納枚数に達するまで、前記第１収納部に硬貨を搬送させることとしても良い。
【発明の効果】
【００２０】
以上説明したように本発明によれば、第１収納部及び第２収納部に収納された硬貨を回収する際の処理時間が長くなることを抑制することが可能となる。
【図面の簡単な説明】
【００２１】
【図１】第１の実施形態に係る硬貨処理装置１０の内部構成例の概略を示す図である。
【図２】硬貨処理装置１０の構成例を示すブロック図である。
【図３】入金処理時の硬貨の搬送の流れを説明するための図である。
【図４】出金処理時の硬貨の搬送の流れを説明するための図である。
【図５】金種別スタッカ４０から補充回収カセット４８に硬貨を回収する際の硬貨の搬送の流れを説明するための図である。
【図６】オーバーフロースタッカ４４から補充回収カセット４８に硬貨を回収する際の硬貨の搬送の流れを説明するための図である。
【図７】入金処理時の硬貨搬送の制御例を示すフローチャートである。
【図８】第２の実施形態に係る入金処理時の硬貨の搬送の流れを説明するための図である。
【図９】第２の実施形態に係る入金処理時の硬貨搬送の制御例を示すフローチャートである。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
＜１．第１の実施形態＞
（１−１．硬貨処理装置の構成例）
図１及び図２を参照しながら、本発明の第１の実施形態に係る硬貨処理装置１０の構成例について説明する。図１は、第１の実施形態に係る硬貨処理装置１０の内部構成例の概略を示す図である。図２は、硬貨処理装置１０の構成例を示すブロック図である。
【００２４】
硬貨処理装置１０は、例えば、金融機関やコンビニエンスストア等の店舗に設置され、顧客との間での取引（入金、出金等）を行う自動取引装置に内蔵された装置である。硬貨処理装置１０は、入金取引時に係員が投入した硬貨を受け入れ、受け入れた硬貨を識別及び計数して収納する機能を有する。また、硬貨処理装置１０は、出金取引時に硬貨を繰り出し、繰り出した硬貨を計数して出金する機能を有する。
【００２５】
硬貨処理装置１０は、図１に示すように、入出金部２０と、繰出部２４と、搬送部２８と、識別部３２と、一時保留部３６と、第１収納部の一例である金種別スタッカ４０と、第２収納部の一例であるオーバーフロースタッカ４４と、回収部の一例である補充回収カセット４８と、補充搬送部５２と、を有する。また、硬貨処理装置１０は、図２に示すように、表示部６０と、操作部６２と、制御ユニット７０と、を有する。
【００２６】
入出金部２０は、顧客若しくは係員が投入した入金硬貨を受け入れ、又は顧客若しくは係員に出金硬貨を渡す機能を有する。入出金部２０は、硬貨を受け止める受皿２１を有する。受皿２１は、回動可能に設けられ、例えば反転することにより硬貨を下方へ放出可能である。受皿２１から放出された硬貨は、受皿２１の下方に設けられた繰出部２４にシュート２２を通じて落下する。
【００２７】
繰出部２４は、受皿２１から放出された硬貨を受け取り、受け取った硬貨を搬送部２８に繰り出す機能を有する。繰出部２４は、例えば硬貨を１枚ずつ分離して繰り出すための回転円盤を有する。
【００２８】
また、繰出部２４は、硬貨を検知するセンサを有し、繰り出されずに残留するクリップ等の異物を検出可能である。繰出部２４は、異物が残留している場合には、異物を下方に位置する異物シュート２５に放出する。これにより、異物は、異物返却口２６に返却されることになる。
【００２９】
搬送部２８は、硬貨を搬送する機能を有する。搬送部２８は、硬貨が搬送される搬送路２９と、硬貨を搬送するためのベルト等の搬送部材（不図示）とを有する。搬送部２８は、搬送路において図１に示す方向Ｄ１又は方向Ｄ２に搬送可能である。例えば、搬送部２８は、繰出部２４から繰り出された硬貨を方向Ｄ１へ向けて搬送して、識別部３２に至らせる。
【００３０】
識別部３２は、搬送路２９内に設けられ、搬送される硬貨の少なくとも金種、真偽、正損等を識別する機能を有する。また、識別部３２は、搬送される硬貨を計数する機能も有する。識別部３２は、ここでは光学センサであるが、これに限定されず、多様な方式のセンサを採用しうる。
【００３１】
一時保留部３６は、搬送路２９で搬送された硬貨を一時保留するためのものである。例えば入金処理の際に、繰出部２４から繰り出されて搬送された硬貨が、一時保留部３６に一時的に蓄積される。また、一時保留部３６は、例えば硬貨を繰り出すための回転円盤を有し、一時的に蓄積された硬貨を１枚ずつ搬送路２９に繰り出す機能も有する。
【００３２】
金種別スタッカ４０は、出金用の硬貨を金種別に分けて収納する機能を有する。本実施形態では、搬送路２９において繰出部２４と一時保留部３６の間に、硬貨の金種別に複数の金種別スタッカ４０ａ〜４０ｆが設けられている。例えば、金種別スタッカ４０ａは１円硬貨を収納し、金種別スタッカ４０ｂは５０円硬貨を収納する。また、金種別スタッカ４０ａ〜４０ｆは、それぞれ所定の最大収納枚数Ｍだけ硬貨を収納できる。
【００３３】
入金処理の際に一時保留部３６に一時保留された硬貨は、一時保留部から繰り出されて方向Ｄ２に搬送されながら、対応する金種別スタッカ４０に振分けられる。なお、搬送路２９には硬貨の搬送方向を切り替える切替ゲートが設けられており、切替ゲートによって硬貨が対応する金種別スタッカ４０に振分けられる。
【００３４】
オーバーフロースタッカ４４は、本実施形態では硬貨処理装置１０の下方に固定配置されている。オーバーフロースタッカ４４は、異なる金種の硬貨を混在させて（非整列状態で纏めて）収納する機能を有する。オーバーフロースタッカ４４は、入金処理の際に、金種別スタッカ４０に所定枚数の硬貨が収納された場合に、その後に入金される硬貨を収納する。また、オーバーフロースタッカ４４は、収納した硬貨を補充搬送部５２に繰り出す機能を有する。
【００３５】
オーバーフロースタッカ４４は、異なる金種の硬貨を混在させて収納する収納部４４ａと、収納部４４ａの硬貨を補充搬送路５２に繰り出すためのベルト４４ｂとを有する。収納部４４ａには、搬送路２９に設けられた切替ゲート３０ａによりシュート３１ａに振分けられた硬貨が、シュート３１ａを落下して収納される。なお、切替ゲート３０ａは、開動作することにより、硬貨をシュート３１ａに振り分ける。
【００３６】
また、オーバーフロースタッカ４４には、識別部３２で正常硬貨と識別されなかったリジェクト硬貨を収納するリジェクトボックス４５が設けられている。リジェクトボックス４５には、切替ゲート３０ｂによりシュート３１ｂに振分けられた硬貨が、シュート３１ｂを落下して収納される。なお、リジェクトボックス４５は、着脱可能な構成となっている。
【００３７】
補充回収カセット４８は、硬貨処理装置１０に対して着脱可能なカセットである。補充回収カセット４８は、各種処理によって硬貨処理装置１０内の硬貨が不足した場合に、カセット内に装填された硬貨を補充するためのものである。また、補充回収カセット４８は、回収処理の際に、金種別スタッカ４０やオーバーフロースタッカ４４に収納された硬貨を、カセット内に回収する。
【００３８】
補充回収カセット４８への硬貨の回収は、搬送部２８が、金種別スタッカ４０とオーバーフロースタッカ４４に収納された硬貨を補充回収カセット４８に搬送することにより行われる。なお、硬貨の精査等のための回収処理の際に、一時保留部３６は、金種別スタッカ４０に収納された硬貨が補充回収カセット４８に搬送される途中で当該硬貨を一時保留し、オーバーフロースタッカ４４に収納された硬貨が補充回収カセット４８に搬送される途中で当該硬貨を一時保留する。
【００３９】
補充回収カセット４８は、異なる金種の硬貨を混在させて収納する収納部４８ａと、収納部４８ａの硬貨を補充搬送部５２に繰り出すためのベルト４８ｂとを有する。収納部４８ａには、搬送路２９に設けられた切替ゲート３０ｃによりシュート３１ｃに振分けられた硬貨が、シュート３１ｃを落下して収納される。また、補充回収カセット４８には、識別部３２で正常硬貨と識別されなかったリジェクト硬貨を収納するリジェクトボックス４９が設けられている。リジェクトボックス４９には、切替ゲート３０ｄによりシュート３１ｄに振分けられた硬貨が、シュート３１ｄを落下して収納される。
【００４０】
補充搬送部５２は、オーバーフロースタッカ４４や補充回収カセット４８から繰り出された硬貨を、硬貨処理装置１０の上方（例えば、一時保留部３６）に搬送する機能を有する。補充搬送部５２は、例えば硬貨を上方に搬送する搬送コンベア（不図示）を有し、硬貨を高速に搬送可能である。すなわち、補充搬送部５２が硬貨を搬送する搬送速度は、搬送部２８が硬貨を搬送する搬送速度よりも速い。これにより、回収処理の際に、オーバーフロースタッカ４４の硬貨を一時保留部３６に迅速に搬送できる。なお、本実施形態では、搬送部２８が第１搬送部に該当し、補充搬送部５２が第２搬送部に該当する。
【００４１】
ところで、６つの金種別スタッカ４０ａ〜４０ｅには、搬送路における一時保留部３６との間の搬送距離がオーバーフロースタッカ４４と一時保留部３６との間の補充搬送路４２の搬送距離よりも長い金種別スタッカが、少なくとも一つ以上含まれる。これにより、回収処理の際に、オーバーフロースタッカ４４の硬貨を一時保留部３６に迅速に搬送できる。本実施形態では、図１を見ると分かるように、オーバーフロースタッカ４４と一時保留部３６の間の補充搬送路５２の搬送距離は、６つの金種別スタッカ４０ａ〜４０ｆのうちの金種別スタッカ４０ａ〜４０ｄと一時保留部３６の間の搬送距離よりも短い。なお、搬送距離の関係は上記に限定されず、例えば、６つの金種別スタッカ４０ａ〜４０ｆのうちの一時保留部３６から最も離れた金種別スタッカ４０ａと一時保留部３６の間の搬送距離が、オーバーフロースタッカ４４と一時保留部３６の間の搬送距離よりも長いこととしても良い。
【００４２】
表示部６０は、メニュー画面や、処理結果画面等を表示する。操作部６２は、係員の操作を受け付けるためのものであり、係員が操作部６２を操作することにより、入金処理、出金処理、回収処理が行われる。表示部６０及び操作部６２は、例えば硬貨処理装置１０の上部に設けられている。
【００４３】
制御ユニット７０は、硬貨処理装置１０の全体動作を制御する。制御ユニット７０は、図２に示すように、制御部７２と、記憶部７４とを有する。制御部７２は、上述した各構成要素の動作を制御する。記憶部７４は、制御部７２が実行するプログラムや各種のデータを記憶する。
【００４４】
ところで、制御ユニット７０は、詳細は後述するが、入金処理の際に以下のように制御する。すなわち、制御ユニット７０は、金種別スタッカ４０に収納された硬貨が金種別スタッカ４０の最大収納枚数Ｍよりも少ない所定枚数である設定枚数Ｎに達していない場合には、金種別スタッカ４０に硬貨を搬送させる。一方で、制御ユニット７０は、金種別スタッカ４０に収納された硬貨が設定枚数Ｎに達した場合には、オーバーフロースタッカ４４に硬貨を搬送させる。このように、入金処理の際に金種別スタッカ４０に搬送させる硬貨の枚数を制限することにより、その後の回収処理の際に、搬送処理が速く行われるオーバーフロースタッカ４４からの硬貨の搬送量が増えるので、回収処理に費やす時間を短くできる。
【００４５】
なお、制御ユニット７０は、設定枚数Ｎの大きさを変更して設定可能である。例えば、係員が操作部６２により設定枚数Ｎの大きさを変更すると、制御ユニット７０は、変更後の設定枚数Ｎに設定する。
【００４６】
また、制御ユニット７０は、詳細は後述するが、回収処理の際に、金種別スタッカ４０に収納された硬貨を補充回収カセット４８に搬送させると共に、オーバーフロースタッカ４４に収納された硬貨を補充回収カセット４８に搬送させる。例えば、制御ユニット７０は、回収処理の際に、オーバーフロースタッカ４４に収納された硬貨を補充回収カセット４８に搬送させた後に、金種別スタッカ４０に収納された硬貨を補充回収カセット４８に搬送させる。すなわち、オーバーフロースタッカ４４に収納された硬貨を先に回収する。
【００４７】
オーバーフロースタッカ４４に収納された硬貨を先に回収することで、金種別スタッカ４０に収納された硬貨を先に回収する場合に比べて、回収処理の際に障害が発生しても運用再開に要する時間を短くできる。すなわち、金種別スタッカ４０の硬貨を先に回収する場合には、その後のオーバーフロースタッカ４４の硬貨を回収する際に硬貨詰まり等の障害が発生すると、運用を再開するために空になっている金種別スタッカ４０に硬貨を補充する必要がある。一方で、オーバーフロースタッカ４４の硬貨を先に回収する場合には、オーバーフロースタッカ４４の硬貨を回収する際に障害が発生しても、金種別スタッカ４０には硬貨が収納された状態となっているので、金種別スタッカ４０に硬貨を補充する必要が無い。
【００４８】
また、回収処理の際に、制御ユニット７０は、同一の搬送路（具体的には、搬送路２９）を往復させて、金種別スタッカ４０に収納された硬貨を一時保留部３６を経由して補充回収カセット４８に搬送させる。一方で、制御ユニット７０は、同一の搬送路を往復させずに、オーバーフロースタッカ４４に収納された硬貨を一時保留部３６を経由して補充回収カセット４８に搬送させる。このため、オーバーフロースタッカ４４の硬貨を補充回収カセット４８に搬送して回収する際には、同一の搬送路を往復させる必要が無いため、金種別スタッカ４０の硬貨を補充回収カセット４８に搬送して回収する場合に比べて搬送時間を短くできる。
【００４９】
（１−２．硬貨処理装置の基本処理）
硬貨処理装置１０は、基本処理として、例えば入金処理、出金処理、回収処理を行う。以下では、処理毎に説明する。
【００５０】
（入金処理）
図３を参照しながら、入金処理の流れについて説明する。入金処理は、係員が投入した硬貨を金種別スタッカ４０に収納する処理である。
【００５１】
図３は、入金処理時の硬貨の搬送の流れを説明するための図である。係員が入出金部２０に硬貨を投入した後、受皿２１が反転することにより硬貨がシュート２２を通じて繰出部２４に落下する。繰出部２４は、硬貨を１枚ずつ分離して搬送部２８の搬送路２９に繰り出す。繰り出された硬貨は、図３（ａ）に示すように、金種別スタッカ４０に搬送される前に、一時保留部３６に一旦搬送される。
【００５２】
すなわち、搬送部２８は、硬貨を方向Ｄ１へ向けて搬送して、識別部３２に至らせる。識別部３２は、搬送された硬貨の金種等を識別する。そして、識別部３２で硬貨が正常硬貨であると識別された場合には、搬送部２８は、硬貨を一時保留部３６に搬送する。一方で、識別部３２で硬貨が正常硬貨で無いと識別された場合には、搬送部２８は、硬貨を一時保留部３６の位置を通過させて受皿２１に搬送する。これにより、正常硬貨でない硬貨は、係員に返却される。そして、係員が投入した硬貨の全ては、一時保留部３６又は受皿２１に搬送される。
【００５３】
一時保留部３６への硬貨の搬送が終了した後、例えば係員が操作部６２で硬貨の収納を実行させる操作を行うと、図３（ｂ）に示すように、一時保留部３６の硬貨を金種別スタッカ４０に収納する動作が行われる。具体的には、一時保留部３６は、硬貨を１枚ずつ搬送路２９に向けて繰り出す。搬送部２８は、硬貨を方向Ｄ２へ向けて搬送して、識別部３２に至らせる。
【００５４】
識別部３２は、搬送された硬貨の金種等を識別する。そして、識別部３２で硬貨が正常硬貨であると識別された場合には、搬送部２８は、硬貨の金種に対応する金種別スタッカ４０に硬貨を搬送する。例えば、硬貨が５円硬貨であれば、搬送部２８は、硬貨を金種別スタッカ４０ｄに搬送する。これにより、金種別スタッカ４０ａ〜４０ｆが、それぞれ対応する金種の硬貨を収納する。一方で、識別部３２で硬貨が正常硬貨で無いと識別された場合には、搬送部２８は、硬貨をオーバーフロースタッカ４４のリジェクトボックス４５に搬送する。
【００５５】
ところで、本実施形態では、金種別スタッカ４０に収納された硬貨の枚数が所定の設定枚数Ｎ（なお、設定枚数Ｎは、最大収納枚数Ｍよりも少ない）に達するまでは、搬送部２８は、図３（ｂ）に示すように、一時保留部３６の硬貨を金種別スタッカ４０に搬送する。一方で、金種別スタッカ４０に収納された硬貨の枚数が所定の設定枚数Ｎに達すると、搬送部２８は、図３（ｃ）に示すように、一時保留部３６の硬貨をオーバーフロースタッカ４４に搬送する。これにより、金種別スタッカ４０に収納される硬貨の枚数が、設定枚数Ｎ以下となる。
【００５６】
なお、設定枚数Ｎは、金種別スタッカ４０ａ〜４０ｆのそれぞれに対して設定可能である。例えば、複数の金種の硬貨のうち金種別スタッカ４０ａに収納された１円硬貨の枚数が設定枚数Ｎに達した場合には、１円硬貨のみをオーバーフロースタッカ４４に搬送し、他の金種の硬貨は、金種別スタッカ４０ｂ〜４０ｆに搬送される。また、上記の設定枚数Ｎは、係員が操作部６２等により設定可能である。これにより、各金種別スタッカ４０ａ〜４０ｆの硬貨の設定枚数を任意に設定できる。なお、設定枚数Ｎについては、金種別スタッカ４０ａ〜４０ｆの全てが同一の枚数である必要は無く、それぞれ異なることとしても良い。
【００５７】
（出金処理）
図４を参照しながら、出金処理の流れについて説明する。出金処理は、金種別スタッカ４０に収納された硬貨を入出金部２０の受皿２１に出金する処理である。
【００５８】
図４は、出金処理時の硬貨の搬送の流れを説明するための図である。ここでは、金種別スタッカ４０ａ〜４０ｆのうちの金種別スタッカ４０ａ、４０ｂの硬貨を出金するものとして説明する。
【００５９】
まず、図４（ａ）に示すように、金種別スタッカ４０ａは、硬貨を１枚ずつ搬送路２９に順次繰り出す。搬送部２９は、繰り出された硬貨を方向Ｄ１へ向けて搬送して、識別部３２に至らせる。そして、識別部３２で正常硬貨であると識別されると、搬送部２８は、硬貨を受皿２１に搬送する。これにより、金種別スタッカ４０ａの硬貨が出金される。なお、識別部３２で正常硬貨で無いと識別されると、搬送部２８は、硬貨を金種別スタッカ４０ａに搬送する。
【００６０】
金種別スタッカ４０ａの硬貨の受皿２１への搬送が完了すると、図４（ｂ）に示すように、金種別スタッカ４０ｂは、硬貨を１枚ずつ搬送路２９に順次繰り出す。その後、繰り出された硬貨は、識別部３２に識別された後に、受皿２１に搬送される。なお、他の金種別スタッカ４０ｃ〜４０ｆの硬貨についても、同様に出金される。
【００６１】
なお、図４を見ると分かるように、本実施形態における搬送路２９は、金種別スタッカ４０ａ〜４０ｆから繰り出された硬貨が方向Ｄ１、Ｄ２のうちの方向Ｄ１に搬送されるように構成されている。搬送路２９をこのような構成にした理由は、出金処理時に受皿２１への搬送時間を短くするためである。そして、搬送路２９のかかる構成のため、回収処理の際に、金種別スタッカ４０ａ〜４０ｆの硬貨を補充回収カセット４８にダイレクトに搬送できず、一時保留部３６に一旦搬送している。
【００６２】
（回収処理）
図５及び図６を参照しながら、回収処理の流れについて説明する。回収処理は、例えば金種別スタッカ４０とオーバーフロースタッカ４４に収納された硬貨の精査をする際に、金種別スタッカ４０とオーバーフロースタッカ４４に収納された硬貨を補充回収カセット４８に搬送する処理である。
【００６３】
図５は、金種別スタッカ４０から補充回収カセット４８に硬貨を回収する際の硬貨の搬送の流れを説明するための図である。まず、図５（ａ）に示すように、金種別スタッカ４０ａ〜４０ｆに収納された硬貨が、搬送路２９に繰り出された後に方向Ｄ１へ向けて一時保留部３６に集積される。そして、金種別スタッカ４０ａ〜４０ｆのうちの一の金種別スタッカの硬貨が全て一時保留部３６に搬送された後に、次の金種別スタッカの硬貨が一時保留部３６に搬送される。なお、一時保留部３６に硬貨が搬送される際に、識別部３２によって硬貨の金種等を識別しても良い。
【００６４】
６つの金種別スタッカ４０ａ〜４０ｆの硬貨全てが一時保留部３６に搬送された後に、図５（ｂ）に示すように、一時保留部３６の硬貨が方向Ｄ２へ向けて搬送されて、識別部３２に至り、識別部３２によって硬貨の金種等が識別される。その後、識別部３２により識別された硬貨は、更に搬送されて補充回収カセット４８に収納される。これにより、金種別スタッカ４０の硬貨の回収が終了する。
【００６５】
図６は、オーバーフロースタッカ４４から補充回収カセット４８に硬貨を回収する際の硬貨の搬送の流れを説明するための図である。まず、図６（ａ）に示すように、オーバーフロースタッカ４４に非整列状態で収納された硬貨が、ベルト４４ｂによって補充搬送部５２に繰り出された後に、補充搬送部５２によって一時保留部３６へ搬送される。
【００６６】
ところで、補充搬送部５２は、高速に硬貨を搬送する搬送コンベアを有し、異なる金種の硬貨を纏めて搬送するため、硬貨を素早く一時保留部３６に搬送できる。このため、オーバーフロースタッカ４４から所定枚数の硬貨を一時保留部３６へ搬送する搬送時間は、金種別スタッカ４０ａ〜４０ｆから所定枚数の硬貨を一時保留部３６へ搬送する搬送時間よりも短い。
【００６７】
オーバーフロースタッカ４４の硬貨全てが一時搬送部３６に搬送された後に、図６（ｂ）に示すように、一時保留部３６の硬貨が方向Ｄ２へ向けて搬送されて、識別部３２に至り、識別部３２によって硬貨の金種等が識別される。その後、識別部３２により識別された硬貨は、更に搬送されて補充回収カセット４８に収納される。これにより、オーバーフロースタッカ４４の硬貨の回収が終了する。
【００６８】
なお、本実施形態の回収処理では、オーバーフロースタッカ４４に収納された硬貨の補充回収カセット４８への搬送が終了した後に、金種別スタッカ４０ａ〜４０ｆに収納された硬貨の補充回収カセット４８への搬送が行われる。
【００６９】
（１−３．入金処理時の硬貨搬送の制御例）
図７を参照しながら、第１の実施形態に係る入金処理時の硬貨搬送の制御例について説明する。
【００７０】
図７は、入金処理時の硬貨搬送の制御例を示すフローチャートである。硬貨搬送の制御は、制御ユニット７０の制御部７２によって実行される。すなわち、制御部７２が、記憶部７４に記憶されたプログラムを実行することで、入金処理時の硬貨搬送の制御が実現される。
【００７１】
図７のフローチャートは、硬貨処理装置１０の電源がＯＮになったところから開始される。まず、係員が金種別スタッカ４０ａ〜４０ｆに収納される所定の設定枚数Ｎを入力すると、制御部７２は、入力された設定枚数Ｎを設定する（ステップＳ１０２）。その後、制御部７２は、搬送部２８を制御して、係員が入出金部２０に投入した硬貨を、一時保留部３６を経由して金種別スタッカ４０に搬送させる（ステップＳ１０４）。
【００７２】
次に、制御部７２は、金種別スタッカ４０に収納された硬貨の枚数が、所定の設定枚数Ｎよりも少ないか否かを判定する（ステップＳ１０６）。そして、ステップＳ１０６において金種別スタッカ４０に収納された硬貨の枚数が設定枚数Ｎよりも少ない場合には（Ｙｅｓ）、制御部７２は、金種別スタッカ４０への硬貨の搬送を継続する（ステップＳ１０８）。
【００７３】
一方で、ステップＳ１０６において金種別スタッカ４０に収納された硬貨の枚数が設定枚数Ｎに達した場合には（Ｎｏ）、制御部７２は、搬送部２８を制御して、金種別スタッカ４０への硬貨の搬送を中止して、オーバーフロースタッカ４４へ硬貨を搬送させる（ステップＳ１１０）。これにより、金種別スタッカ４０には設定枚数Ｎ以下の硬貨が収納される。
【００７４】
その後、制御部７２は、オーバーフロースタッカ４４が硬貨で満杯になった（最大収納枚数に達した）か否かを判定する（ステップＳ１１２）。そして、ステップＳ１１２でオーバーフロースタッカ４４が満杯で無い場合には（Ｎｏ）、制御部７２は、オーバーフロースタッカ４４への硬貨の搬送を継続する（ステップＳ１１０）。一方で、ステップＳ１１２でオーバーフロースタッカ４４が満杯となった場合には（Ｙｅｓ）、制御部７２は、入金処理を中止する（ステップＳ１１４）。
【００７５】
（１−４．第１の実施形態の有効性）
上述した硬貨処理装置１０は、図３に示すように、入金処理の際に、金種別スタッカ４０に収納された硬貨が金種別スタッカ４０の最大収納枚数Ｍよりも少ない所定枚数（設定枚数Ｎ）に達していない場合には、金種別スタッカ４０に硬貨を搬送させる。一方で、硬貨処理装置１０は、金種別スタッカ４０に収納された硬貨が設定枚数Ｎに達した場合には、オーバーフロースタッカ４４に硬貨を搬送させる。
【００７６】
これにより、金種別スタッカ４０に硬貨が満杯になることを防止でき、回収処理を行う際に、金種別スタッカ４０からの硬貨の回収枚数を減らせるので、金種別スタッカ４０に収納された硬貨が補充回収カセット４８に回収されるまでの時間を短くできる。一方で、オーバーフロースタッカ４４に収納される硬貨の枚数は増えるが、金種別スタッカ４０から補充回収カセット４８までの硬貨の搬送時間に比べて、オーバーフロースタッカ４４から補充回収カセット４８までの硬貨の搬送時間が短いので、金種別スタッカ４０とオーバーフロースタッカ４４に収納された硬貨の補充回収カセット４８までのトータルの搬送時間の増加を抑制できる。従って、第１の実施形態によれば、金種別スタッカ４０及びオーバーフロースタッカ４４に収納された硬貨を回収する際の処理時間が長くなることを抑制できる。
【００７７】
また、設定枚数Ｎを設定変更できる構成である場合には、例えば硬貨処理装置１０が出金する硬貨の量よりも入金される硬貨の量が多い場合には、出金用の金種別スタッカ４０への硬貨の収納枚数を減らして（設定枚数Ｎを小さくする）、オーバーフロースタッカ４４に硬貨を搬送させることで、回収処理時の処理時間を一層短縮できる。
【００７８】
＜２．第２の実施形態＞
第１の実施形態では、入金処理において金種別スタッカ４０の収納硬貨の枚数が所定の設定枚数Ｎに達するまでは、一時保留部３６の硬貨が金種別スタッカ４０に搬送され、金種別スタッカ４０の収納硬貨の枚数が設定枚数Ｎに達すると、一時保留部３６の硬貨がオーバーフロースタッカ４４に搬送される。その後、オーバーフロースタッカ４４が硬貨で満杯になる（オーバーフロースタッカ４４に収納された硬貨がオーバーフロースタッカ４４の最大収納枚数に達する）と、処理が中止する。
【００７９】
これに対して、第２の実施形態では、制御ユニット７０は、入金処理の際に、オーバーフロースタッカ４４に収納された硬貨がオーバーフロースタッカ４４の最大収納枚数に達した場合には、設定枚数Ｎの硬貨が収納された金種別スタッカ４０に硬貨を再度搬送させる。この際、制御ユニット７０は、金種別スタッカ４０に収納された硬貨が金種別スタッカ４０の最大収納枚数Ｍに達するまで、金種別スタッカ４０に硬貨を再度搬送させる。
【００８０】
これにより、金種別スタッカ４０に収納される硬貨の枚数が増える（金種別スタッカ４０の硬貨の収納枚数を最大限活用する）ので、硬貨処理装置１０が収納する硬貨のトータル枚数を増やすことができる。また、第２の実施形態によれば、硬貨処理装置１０が処理を中止する頻度を低下するので、保守員の復旧作業を回避することが可能となる。
【００８１】
図８は、第２の実施形態に係る入金処理時の硬貨の搬送の流れを説明するための図である。第２の実施形態でも、図８（ａ）に示すように、搬送部２８は、入出金部２０に投入された硬貨を一時保留部３６に搬送する。そして、図８（ｂ）に示すように、金種別スタッカ４０に収納された硬貨が設定枚数Ｎに達するまでは、搬送部２８は、一時保留部３６の硬貨を金種別スタッカ４０に搬送する。
【００８２】
その後、金種別スタッカ４０に収納された硬貨が設定枚数Ｎに達すると、図８（ｃ）に示すように、搬送部２８は、一時保留部３６の硬貨をオーバーフロースタッカ４４に搬送する。更にその後、オーバーフロースタッカ４４が満杯になると、図８（ｄ）に示すように、搬送部２８は、一時保留部３６の硬貨を金種別スタッカ４０に再度搬送する。そして、金種別スタッカ４０が満杯になるまで、金種別スタッカ４０に硬貨が搬送される。
【００８３】
図９は、第２の実施形態に係る入金処理時の硬貨搬送の制御例を示すフローチャートである。以下では、図７で説明した第１の実施形態と異なる部分を中心に説明する。
【００８４】
まず、制御部７２は、係員が入力した金種別スタッカ４０の設定枚数Ｎを設定する（ステップＳ１０２）。また、制御部７２は、係員が金種別スタッカ４０の硬貨の再収納を行わせる入力を行うと、金種別スタッカ４０への硬貨の再収納を設定する（ステップＳ２０２）。
【００８５】
次に、制御部７２は、設定枚数Ｎに達するまで金種別スタッカ４０に硬貨を搬送して収納する（ステップＳ１０６：Ｙｅｓ、Ｓ１０８）。一方で、設定枚数Ｎに達すると、制御部７２は、オーバーフロースタッカ４４に硬貨を搬送して収納する（ステップＳ１０６：Ｎｏ、Ｓ１１０）。これにより、金種別スタッカ４０には設定枚数Ｎ以下の硬貨が収納される。
【００８６】
その後、制御部７２は、オーバーフロースタッカ４４が硬貨で満杯になったか否かを判定する（ステップＳ１１２）。そして、ステップＳ１１２でオーバーフロースタッカ４４が満杯で無い場合には（Ｎｏ）、制御部７２は、オーバーフロースタッカ４４への硬貨の搬送を継続する（ステップＳ１１０）。
【００８７】
一方で、ステップＳ１１２でオーバーフロースタッカ４４が満杯である場合には（Ｙｅｓ）、制御部７２は、金種別スタッカ４０への硬貨の再収納が設定されているか否かを判定する（ステップＳ２０４）。ここでは、ステップＳ２０２で金種別スタッカ４０への硬貨の再収納が設定されているので（ステップＳ２０４：Ｙｅｓ）、制御部７２は、設定枚数Ｎが収納された金種別スタッカ４０へ硬貨を再度搬送して収納する（ステップＳ２０６）。
【００８８】
その後、制御部７２は、金種別スタッカ４０が満杯になったか否かを判定する（ステップＳ２０８）。そして、ステップＳ２０８で金種別スタッカ４０が満杯で無い場合には（Ｎｏ）、制御部７２は、金種別スタッカ４０への硬貨の搬送を継続する（ステップＳ２０６）。一方で、ステップＳ２０８で金種別スタッカ４０が満杯である場合には（Ｙｅｓ）、制御部７２は、入金処理を中止する（ステップＳ１１４）。
【００８９】
上述した第２の実施形態によれば、第１の実施形態と同様に金種別スタッカ４０及びオーバーフロースタッカ４４に収納された硬貨を回収する際の処理時間が長くなることを抑制できるのに加えて、硬貨処理装置１０が収納する硬貨のトータル枚数を増やすことができる。
【００９０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９１】
１０    硬貨処理装置
２０    入出金部
２４    繰出部
２８    搬送部
２９    搬送路
３２    識別部
３６    一時保留部
４０    金種別スタッカ
４４    オーバーフロースタッカ
４８    補充回収カセット
５２    補充搬送部
６０    表示部
６２    操作部
７０    制御ユニット
７２    制御部
【図１】
2014075019.tif 000003
【図２】
2014075019.tif 000004
【図３】
2014075019.tif 000005
【図４】
2014075019.tif 000006
【図５】
2014075019.tif 000007
【図６】
2014075019.tif 000008
【図７】
2014075019.tif 000009
【図８】
2014075019.tif 000010
【図９】
2014075019.tif 000011